(57)【要約】【課題】天板を覆うシートの交換を自動で行う動物診察台を提供する。【解決手段】負圧源であるアスピレーターＡと連通する連通穴１１１ａが形成されている天板１１１と、この天板１１１を覆うシートＳの供給源となるシートロールＲを保持するロール保持部１１２と、シートＳを巻き取るシート巻き取り機構１４０と、シートＳの巻き取りをシート巻き取り機構１４０に行わせるシート巻き取りスイッチ１２１と、このシート巻き取りスイッチ１２１が押された際に、シートＳを所定量だけ巻き取った後に連通穴１１１ａから吸引を行ってシートＳを天板１１１に吸着させる制御部１５０とを備えている動物診察台１００。【選択図】図１
2019188034.tif 000002
【特許請求の範囲】
【請求項１】
負圧源と連通する連通穴が形成されている天板と、
該天板を覆うシートの供給源となるシートロールを保持するロール保持部と、
前記シートを巻き取るシート巻き取り機構と、
前記シートの巻き取りを前記シート巻き取り機構に行わせるシート巻き取りスイッチと、
該シート巻き取りスイッチが押された際に、前記シートを所定量だけ巻き取った後に前記連通穴から吸引を行って前記シートを前記天板に吸着させる制御部とを備えていることを特徴とする動物診察台。
【請求項２】
前記連通穴が、該連通穴に気体を供給する圧縮気体源とも連通しており、
前記制御部は、前記シート巻き取りスイッチが押された際に、前記連通穴から気体を噴出させた後に前記シートを前記所定量だけ巻き取ることを特徴とする動物診察台。
【請求項３】
前記負圧源がベンチュリ効果によって減圧状態を生み出すアスピレーターであり、
該アスピレーターが前記圧縮気体源と連通していることを特徴とする請求項２に記載の動物診察台。
【発明の詳細な説明】
【技術分野】
【０００１】
本発明は、動物診察台に関する。
【背景技術】
【０００２】
従来、動物を診察台の上での清浄作業、処置作業の時に使用する診察台上のシートを毎回診察毎に新規なシートを連続して使用面をカット供給できる動物診察台が知られている（例えば、特許文献１参照）。
【先行技術文献】
【特許文献】
【０００３】
【特許文献１】特開２００４−３２１７３５号公報
【発明の概要】
【発明が解決しようとする課題】
【０００４】
特許文献１に記載された動物診察台で用いられるシートの裏面には低粘着剤が被着されているため、シートを診察台上に敷くと、シートが診察台の天板に貼り付いてしまい、使用後にシートを診察台の天板から剥がすことが煩わしいものになっていた。
【０００５】
本発明は、これらの実情に鑑みてなされたものであり、天板を覆うシートの交換を自動で行う動物診察台を提供することをその目的とする。
【課題を解決するための手段】
【０００６】
上記課題を解決するために、請求項１の発明は、負圧源と連通する連通穴が形成されている天板と、該天板を覆うシートの供給源となるシートロールを保持するロール保持部と、前記シートを巻き取るシート巻き取り機構と、前記シートの巻き取りを前記シート巻き取り機構に行わせるシート巻き取りスイッチと、該シート巻き取りスイッチが押された際に、前記シートを所定量だけ巻き取った後に前記連通穴から吸引を行って前記シートを前記天板に吸着させる制御部とを備えていることを特徴とするものである。
【０００７】
請求項２の発明は、請求項１の発明において、前記連通穴が、該連通穴に気体を供給する圧縮気体源とも連通しており、前記制御部は、前記シート巻き取りスイッチが押された際に、前記連通穴から気体を噴出させた後に前記シートを前記所定量だけ巻き取ることを特徴とするものである。
【０００８】
請求項３の発明は、請求項２の発明において、前記負圧源がベンチュリ効果によって減圧状態を生み出すアスピレーターであり、該アスピレーターが前記圧縮気体源と連通していることを特徴とするものである。
【発明の効果】
【０００９】
本発明によれば、天板を覆うシートの交換を自動で行う動物診察台を提供することができる。
【図面の簡単な説明】
【００１０】
【図１】本発明の一実施形態に係る動物診察台の斜視図。
【図２】本発明の一実施形態に係る動物診察台の流路構成図。
【発明を実施するための形態】
【００１１】
以下、図面を参照しながら、本発明の動物診察台に係る好適な実施形態について説明する。
なお、以下の説明において、異なる図面においても同じ符号を付した構成は同様のものであるとして、その説明を省略する場合がある。
【００１２】
＜動物診察台の概要＞
まず、本発明の一実施形態に係る動物診察台の斜視図である図１を用いて本発明の一実施形態である動物診察台１００について説明する。
【００１３】
図１に示すように動物診察台１００は、診察対象の動物が載置される平板状の本体部１１０と、床面と接触する平板状の底部１２０と、本体部１１０と底部１２０とを接続する柱状の中継部１３０と、後に詳述するシートＳを巻き取るシート巻き取り機構１４０と、このシート巻き取り機構１４０等を制御する制御部１５０（図２参照）とを備えている。
【００１４】
本体部１１０は、診察対象の動物が載置される天板１１１と、シートＳの供給源となる円筒状のシートロールＲを懸架して保持するロール保持部１１２とを有している。
天板１１１の上面には、後述するアスピレーターＡと連通する連通穴１１１ａが複数形成されている。
連通穴１１１ａは、例えば、図１に示すように前後左右に亘って等間隔に配置されている。
ロール保持部１１２は、天板１１１の下面側の左端に形成されている。
【００１５】
底部１２０は、シート巻き取り機構１４０を駆動させるシート巻き取りスイッチ１２１を有している。
シート巻き取りスイッチ１２１は、制御部１５０と電気的に接続されている。
【００１６】
シート巻き取り機構１４０は、制御部１５０と電気的に接続されたモーター１４１（図２参照）を有しており、このモーター１４１が回転することによってシートＳを巻き取る。
【００１７】
なお、本発明の一実施形態に係る動物診察台１００で用いられるシートＳは塩化ビニル製であり、その厚さは約０．１ｍｍである。
【００１８】
＜動物診察台の流路構成＞
続いて、本発明の一実施形態に係る動物診察台の流路構成図である図２を用いて動物診察台１００の流路構成について説明する。
【００１９】
動物診察台１００は、さらに圧縮気体源であるコンプレッサーＣ、電磁弁ＥＶ、電動の三方切替弁Ｊ、逆止弁ＣＶ、負圧源であるアスピレーターＡ、排気フィルターＦを有している。
また、これらの流路構成部材のうち、コンプレッサーＣ、電磁弁ＥＶ、三方切替弁Ｊは制御部１５０と電気的に接続されている、
【００２０】
コンプレッサーＣは電磁弁ＥＶの一端と連通しており、電磁弁ＥＶの他端は三方切替弁Ｊの入口ポートＪ１と連通している。
三方切替弁Ｊの残りの２つのポートのうち、第１出口ポートＪ２は天板１１１の連通穴１１１ａと連通しており、第２出口ポートＪ３は逆止弁ＣＶの入口側と連通している。
逆止弁ＣＶの出口側はベンチュリ効果によって減圧状態を生み出すアスピレーターＡの入口ポートＡ１と連通している。
アスピレーターＡの出口側のポートのうち、入口ポートＡ１と同軸上の排気ポートＡ２は排気フィルターＦと連通しており、もう一つの出口側のポートである吸気ポートＡ３は天板１１１の連通穴１１１ａと連通している。
【００２１】
＜動物診察台のシート巻き取り動作＞
続いて、このように構成された動物診察台１００におけるシート巻き取り動作について、図１および図２を用いて説明する。
【００２２】
シート巻き取りスイッチ１３１が押されると、まず三方切替弁Ｊの入口ポートＪ１と第１出口ポートＪ２とが連通し、この状態でコンプレッサーＣが起動する。
これにより、連通穴１１１ａから正圧（大気圧より高圧）の気体が噴出し、シートＳを上方に押し上げる。
この状態で、シート巻き取り機構１４０のモーター１４１を回転させてシートＳを天板１１１の左右方向の長さＬ以上、巻き取る。
【００２３】
その後、三方切替弁Ｊの入口ポートＪ１と第２出口ポートＪ３とが連通し、この状態でコンプレッサーＣが起動する。
これにより、アスピレーターＡがコンプレッサーＣと連通することになり、アスピレーターＡに高圧空気が流入して、ベンチュリ効果で吸気ポートＡ３に負圧（大気圧より低圧）が発生する。
したがって、連通穴１１１ａから外部の気体が吸引されるので、シートＳが天板１１１に密着する。
【００２４】
このように構成され動作する動物診察台１００は、負圧源であるアスピレーターＡと連通する連通穴１１１ａが形成されている天板１１１と、この天板１１１を覆うシートＳの供給源となるシートロールＲを保持するロール保持部１１２と、シートＳを巻き取るシート巻き取り機構１４０と、シートＳの巻き取りをシート巻き取り機構１４０に行わせるシート巻き取りスイッチ１２１と、このシート巻き取りスイッチ１２１が押された際に、シートＳを所定量だけ巻き取った後に連通穴１１１ａから吸引を行ってシートＳを天板１１１に吸着させる制御部１５０とを備えていることにより、シートＳの吸引を解除するだけでシートＳと天板１１１との密着状態を容易に解消可能となるため、天板１１１を覆うシートＳの交換を簡単に行うことができる。
【００２５】
さらに、連通穴１１１ａが、この連通穴１１１ａに気体を供給する圧縮気体源であるコンプレッサーＣとも連通しており、制御部１５０は、シート巻き取りスイッチ１２１が押された際に、連通穴１１１ａから気体を噴出させた後にシートＳを所定量だけ巻き取ることにより、シートＳの吸引を解除した際にシートＳと天板１１１との密着状態が保持されていたとしても、シートＳと天板１１１との間に気体が挿入されるため、より確実にシートＳと天板１１１との密着状態を解消できる。
【００２６】
さらに、負圧源がベンチュリ効果によって減圧状態を生み出すアスピレーターＡであり、このアスピレーターＡがコンプレッサーＣと連通していることにより、真空ポンプのような大型の機構を用いることなく負圧を生成できるため、装置を小型化させることができる。
【００２７】
＜変形例＞
以上、本発明を実施するための形態について説明したが、本発明は上記に限定されるものではない。
【００２８】
例えば、上記実施形態において、動物診察台１００が、コンプレッサーＣ、電磁弁ＥＶ、三方切替弁Ｊ、逆止弁ＣＶ、アスピレーターＡ、排気フィルターＦをそれぞれ有していたが、動物診察台１００とは別体にしてもよい。
【００２９】
例えば、上記実施形態においては、圧縮気体源はコンプレッサーであったが、ガスボンベであってもよい。
また、気体についても、空気であってもよいし、その他の気体であっても良い。
【００３０】
例えば、上記実施形態においては、負圧源はアスピレーターであったが、真空ポンプであってもよい。
【符号の説明】
【００３１】
１００  …動物診察台
１１０  …本体部
１１１  …天板
１１１ａ…連通穴
１１２  …ロール保持部
１２０  …底部
１２１  …シート巻き取りスイッチ
１３０  …中継部
１４０  …シート巻き取り機構
１４１  …モーター
１５０  …制御部
Ｓ    …シート
Ｒ    …シートロール
Ｌ    …天板の左右方向の長さ
Ｃ    …コンプレッサー（圧縮気体源）
ＥＶ  …電磁弁
Ｊ    …三方切替弁
Ｊ１  …入口ポート
Ｊ２  …第１出口ポート
Ｊ３  …第２出口ポート
ＣＶ  …逆止弁
Ａ    …アスピレーター（負圧源）
Ａ１  …入口ポート
Ａ２  …排気ポート
Ａ３  …吸気ポート
Ｆ    …排気フィルター
【図１】
2019188034.tif 000003
【図２】
2019188034.tif 000004